(57)【要約】  本発明は、ベースと、２つの側壁（２０）と、前壁と、後壁と、蓋とを有し、プラスチック材料の一体形成されたカットアウト（１２）を含む保護カバー（１０）に関する。カットアウト（１２）は、ベース領域（２４’）と、後壁領域（１８’）と、前壁領域（１６’）と、２つの側壁領域（２０’）と、蓋領域（２２’）とを有し、カットアウト（１２）は直方体形状に折り畳まれる。加えて、本発明によれば、保護カバー（１０）は、磁気要素および場合により対向要素を含む連結要素（１４）を有し、連結要素（１４）は、折り畳んだ直方体形状で互いに当接するカットアウト（１２）の縁部が、互いに磁力を及ぼす連結要素（１４）によって結合されるように設計され配置される。本発明はまた、このタイプの保護カバー（１０）を形成するように折り畳むことのできる折り畳みシート（１１）に関する。
2019511979.tif 000002
【特許請求の範囲】
【請求項１】
ベース（２４）と、２つの側壁（２０）と、前壁（１６）と、後壁（１８）と、蓋（２２）とを有する保護カバー（１０）であって、
一体形成され、プラスチック材料から構成されたブランク（１２）を含み、
該ブランク（１２）は、ベース領域（２４’）と、後壁領域（１８’）と、前壁領域（１６’）と、２つの側壁領域（２０’）と、蓋領域（２４’）とを有し、ブランク（１２）は直方体形状に折り畳まれ、
保護カバー（１０）は、磁気要素と場合により対向要素とを含む連結要素（１４）を有し、該連結要素（１４）は、折り畳んだ直方体形状で互いに当接するブランク（１２）の縁部が、互いに磁力を及ぼす連結要素（１４）によって結合されるように設計され配置されることを特徴とする、前記保護カバー。
【請求項２】
連結要素（１４）はブランク（１２）に連結され、連結要素（１４）の第１の部分はブランク（１２）の外縁と面一に終端し、連結要素（１４）の第２の部分はブランク（１２）の外縁を越えて突出し、
面一に終端する連結要素（１４）は、いずれの場合にも外縁を越えて突出する連結要素（１４）と相互作用することを特徴とする、請求項１に記載の保護カバー（１０）。
【請求項３】
連結要素（１４）はブランク（１２）に固定して連結されず、いずれの場合にも２つの連結要素（１４）はブランク（１２）の表面の両側で相互作用することを特徴とする、請求項１に記載の保護カバー（１０）。
【請求項４】
少なくとも１つの連結要素（１４）は折り畳み可能に設計されることを特徴とする、請求項１〜３のいずれか１項に記載の保護カバー（１０）。
【請求項５】
プラスチック材料は、ポリエチレンテレフタレート（ＰＥＴ）のようなポリエステル、ポリ塩化ビニル（ＰＶＣ）、ポリプロピレン（ＰＰ）、ポリエチレン（ＰＥ）、ポリカーボネート（ＰＣ）、スチレンコポリマー、または様々なポリマーの混合物から選択されることを特徴とする、請求項１〜４のいずれか１項に記載の保護カバー（１０）。
【請求項６】
ブランク（１２）は少なくとも一部の領域において透明であることを特徴とする、請求項１〜５のいずれか１項に記載の保護カバー（１０）。
【請求項７】
磁気要素は、保護カバーを磁気壁に締結できるように後壁（１８）に配置されることを特徴とする、請求項１〜６のいずれか１項に記載の保護カバー（１０）。
【請求項８】
磁気要素は、永久磁石として、特に永久磁石フィルムおよび／または永久磁石バンドとして設計されることを特徴とする、請求項１〜７のいずれか１項に記載の保護カバー（１０）。
【請求項９】
対向要素は永久磁石として設計されず、特に金属シートまたは金属箔の形態で設計され、それぞれの磁気要素により引き付けられることを特徴とする、請求項１〜８のいずれか１項に記載の保護カバー（１０）。
【請求項１０】
ブランク（１２）の場合、後壁領域（１８’）および前壁領域（１６’）はベース領域（２４’）に隣接し、蓋領域（２２’）は前壁領域（１６’）または後壁領域（１８’）に隣接し、
２つの側壁領域（２２’）は、ベース領域（２４’）、前壁領域（１６’）、または後壁領域（１８’）に隣接することを特徴とする、請求項１〜９のいずれか１項に記載の保護カバー（１０）。
【請求項１１】
連結要素（１４）は、接着接合、溶接、縫合、または積層によってブランク（１２）に固定して連結されることを特徴とする、請求項１、３〜１０のいずれか１項に記載の保護カバー（１０）。
【請求項１２】
保護カバー（１０）に収容された物品（３２）を照明するための照明手段（３６）をさらに含む、請求項１〜１１のいずれか１項に記載の保護カバー（１０）。
【請求項１３】
プラスチック材料から構成されたブランク（１２）と、該ブランク（１２）に締結された連結要素（１４）とを含む折り畳みシート（１１）であって、
該折り畳みシート（１１）は、請求項１１に記載の保護カバー（１０）を形成するように折り畳み可能に構成され、折り畳みシート（１１）は磁力によって折り畳んだ形状に結合されることを特徴とする、前記折り畳みシート。
【請求項１４】
請求項１〜１２のいずれか１項に記載の保護カバー（１０）を製造する方法であって、
保護予定の物品（３２）がブランク（１２）上に置かれ、次に、保護予定の物品（３２）周囲の連結要素（１４）を使用して保護カバー（１０）が折り畳まれることにより、直方体の保護カバー（１０）を形成し、
連結要素（１４）は、折り畳んだ直方体形状で互いに当接するブランク（１２）の縁部が、互いに磁力を及ぼす連結要素（１４）によって結合されるように配置されることを特徴とする、前記方法。
【発明の詳細な説明】
【技術分野】
【０００１】
本発明は、保護カバー、および折り畳んで保護カバーを形成することのできる折り畳みシートに関する。
【背景技術】
【０００２】
例えばビデオゲーム、ＣＤ、ＤＶＤ、ブルーレイディスク、書籍、フィギュアなどのコレクタ品は、通例、関連する包装に収容される。コレクタにとって、これらの品物は、一般に、品物自体だけでなく、その包装も良好な状態であるときに価値の高いものとなる。物品、特にコレクタ品を周囲の影響から保護することのできる様々な保護カバーが、先行技術において公知である。保護カバーは、一般に、保護予定の物品に対してぴったりと位置して、物品がカバー内で自由に動くことができないようになっている
【０００３】
特許文献１は、シート状の折り畳み可能な材料から作ることのできる書籍用の保護カバーを開示している。シートはこの目的で折り畳まれ、接着ストリップがシートを折り畳んだ形状に固定する。一実施形態において、保護カバーは直方体構成であり、保護カバーの一側が開いて、書籍を保護カバーに押し込むことができ、再び保護カバーから取り出すことができるようになっている。
【０００４】
公知の保護カバーの特定の欠点は、保護予定の物品を保護カバーに押し込まなければならないことである。このプロセスにおいて、保護カバーの壁と保護予定の物品との間に摩擦が生じることにより、物品に損傷を与えるおそれがある。特に、物品を押し込んで再び取り出す動作により、前記物品に擦り傷が生じて、コレクタ品としての物品の価値が低下するおそれがある。
【先行技術文献】
【特許文献】
【０００５】
【特許文献１】ＤＥ１０２００８０３６９３５Ａ１
【発明の概要】
【発明が解決しようとする課題】
【０００６】
したがって、本発明の目的は、保護予定の品物を完全に囲んで品物が周囲の影響から保護されるようにし、先行技術の欠点をなくした保護カバーを提供することである。
【課題を解決するための手段】
【０００７】
ベースと、２つの側壁と、前壁と、後壁と、蓋とを有する保護カバーであって、一体形成され、プラスチック材料から構成されたブランクを含む保護カバーが提案される。ブランクは、ベース領域と、後壁領域と、前壁領域と、２つの側壁領域と、蓋領域とを有し、ブランクは直方体形状に折り畳まれる。さらに、保護カバーは、好ましくは磁石要素と場合により対向要素（ｃｏｕｎｔｅｒ  ｅｌｅｍｅｎｔ）とを含む連結要素を有し、連結要素は、折り畳んだ直方体形状で互いに当接するブランクのすべての縁部が、好ましくは互いに磁力を及ぼす連結要素のみによって結合されるように設計され配置される。
【０００８】
好ましくは、連結要素はブランクに固定して連結される。連結要素の第１の部分はブランクの外縁と面一に終端し、連結要素の第２の部分はブランクの外縁を越えて突出し、面一に終端する連結要素は、いずれの場合にも外縁を越えて突出する連結要素と相互作用する。「固定して連結される」とは、ここでは、連結要素を破壊することなしにブランクから分離することができないことを意味するものと理解される。
【０００９】
あるいは、連結要素はブランクに固定して連結されず、いずれの場合にも２つの連結要素はブランクの表面の両側で相互作用する。「固定して連結されず」とは、ここでは、連結要素がブランク上に配置され、２つの連結要素の磁力のみによってブランク上に保持されることを意味するものと理解される。
【００１０】
好ましくは、保護カバーは、連結要素の磁力のみによって直方体形状に保持される。非磁気連結手段による圧力嵌め、形状嵌め（ｆｏｒｍ  ｆｉｔ）、または一体接合嵌め（ｉｎｔｅｇｒａｌｌｙ  ｂｏｎｄｅｄ  ｆｉｔ）の形で提供されるブランクの部分間のさらなる連結は、好ましくは使用されない。したがって、プラグインコネクタ、プラグインタブなどは、ブランクに配置されず、ブランクを直方体形状に折り畳むために、直方体形状で互いに当接するブランクの縁部は接着接合または溶接されない。磁気連結を常に再び容易に解除することができ、また、保護カバーを容易に完全に開くことにより、平坦状態にすることができる。平坦状態とは、ここでは、磁気連結の解除後、ブランクが、場合により平滑化または押圧された後に略水平形状となることを意味する。
【００１１】
提案された保護カバーは、特に連結要素の磁力により直方体形状に保持されるため、保護カバーを容易に広げることができる。物品を保護カバーに収容するために、好ましくは、保護カバーを最初に完全に開き、すなわち広げて、ブランクが略水平になるようにする。その後、好ましくは直方体形状を有する保護予定の物品を、ブランク上、例えばベース領域上に置き、次に、保護予定の物品周囲の連結要素を使用して保護カバーを再び折り畳むことにより、直方体の保護カバーを形成する。あるいは、好ましくは完全に広げた保護カバーの領域を保護予定の物品に接触させて配置し、次に、保護予定の物品周囲の連結要素を使用して保護カバーを折り畳むことにより、直方体の保護カバーを形成する。
【００１２】
ここでは、保護予定の物品を保護カバーの壁に沿って押す必要がないことが有利である。物品を単に保護カバーのブランク上に置き、その後、ブランクの一部または領域を折り畳むことにより、ブランクの一部を物品に接触させて配置する。保護予定の物品の表面と保護カバーの表面との相対運動は、ここでは生じない。
【００１３】
原包装（ｏｒｉｇｉｎａｌ  ｐａｃｋａｇｉｎｇ）が保護予定の物品であるとき、原包装がその経年数および／または内容物によってわずかに凸状の変形を有するおそれがあるという問題が生じることがある。したがって、このタイプの物品を保護するために、可撓性を有し、かつ安定した保護カバーが必要である。使用材料および基本設計により、保護カバーの安定性または機能を損なうことなく、保護カバーをわずかに凸形状に合わせることが可能になる。したがって、保護カバーに収容される物品は、保護カバーのできるだけ近くに置かれて保護されるが、内容物に圧力が及ぼされることはない。
【００１４】
好ましくは、連結要素は、折り畳んだブランクの縁部が互いに当接する直方体の略すべての縁部が連結要素によって覆われるように構成され配置される。これにより、埃が貫入する隙間が保護カバー内で露出することが避けられる。これは、実質的に、製造公差により、かつ連結要素の重なりを避けるために、直方体の縁部、特に縁部の端または直方体の角部の小さい部分が、連結要素により覆われない切れ目または隙間を有してもよいことを意味する。ここでは、前記残りの露出される隙間は、好ましくは、１ｍｍ未満の長さを有する。
【００１５】
好ましくは、ブランクはプラスチック材料から製造される。プラスチック材料は、ここでは平坦な平面材料として示され、ブランクは、プラスチック材料から、例えば打ち抜きまたは切断によって得られる。プラスチック材料は、例えば、１０μｍ〜６００μｍ、好ましくは１００〜４００μｍ、特に好ましくは２００〜３００μｍの厚さを有する透明プラスチックフィルムまたはプラスチックシートである。プラスチック材料は、例えば接着接合、溶接、縫合、または積層により互いに平面状に連結された複数の層から構成することもできる。
【００１６】
ブランクの個々の領域間の境界（ｄｅｌｉｍｉｔａｔｉｏｎ）、すなわちベース領域、蓋領域、前領域、後壁領域、および側壁領域間の境界は、折り畳み線を構成し、この折り畳み線でブランクを折り畳んで直方体形状を作る。好ましくは、前記折り畳み線は折り畳み用に作成される。これは、例えば、ブランクを折り畳み線で予め折り畳んで、または折り曲げて、折り目が折り畳み線に沿って既に形成されているようにすることによって行われる。さらに、プラスチック材料を、切欠きまたは目打ちにより折り畳み線に沿って弱くすることができ、したがって、プラスチック材料を折り畳み線に沿ってより容易に折り畳むことができる。特に厚いプラスチック材料の場合、フィルムヒンジを折り畳み線に沿って形成してもよい。
【００１７】
好ましくは、プラスチック材料は、例えば、ポリエチレンテレフタレート（ＰＥＴ）のようなポリエステル、ポリ塩化ビニル（ＰＶＣ）、ポリプロピレン（ＰＰ）、ポリエチレン（ＰＥ）、ポリカーボネート（ＰＣ）、Ｓｔｙｒｏｌｕｘ（登録商標）のようなスチレンコポリマー、または様々なポリマーの混合物から選択される。
【００１８】
ここでは、プラスチック材料の少なくとも一部を再生可能資源から得ることが好ましい。その一例はバイオＰＥＴである。
【００１９】
好ましくは、ブランクは少なくとも一部の領域において透明である。例えば、少なくとも保護カバーの前壁またはブランクの前壁領域は透明設計で、保護カバーに収容される物品が見え、これを保護カバーと共に見せることができるようになっている。好ましくは、ブランク全体が透明である。
【００２０】
ブランクの形状は、例えば、後壁領域と前壁領域とがベース領域に隣接し、蓋領域が前領域に隣接し、２つの側壁領域がベース領域に隣接するように選択される。個々の領域を対応して折り畳むと、直方体形状がここに生じる。ここでは、それぞれの領域の他の配置も可能である。特に、ここでは、後壁領域と前壁領域とをベース領域に隣接させ、２つの側壁領域を前壁領域または後壁領域に隣接させてもよい。
【００２１】
ブランクのそれぞれの領域の形状は、ここでは、いずれの場合にも矩形となるように選択され、したがって、折り畳んだブランクは直方体形状を有する。ブランクのそれぞれの領域の幾何学的寸法は、生じる直方体が保護予定の品物を囲むことができるように選択される。好ましくは、ここでは、直方体または保護カバーの内寸は保護予定の品物の外寸に対応し、したがって、擦り傷が生じるおそれのある、保護カバー内における品物の相対運動が避けられる。
【００２２】
好ましくは、保護予定の物品は、例えば、関連する包装内のビデオゲーム、ＣＤ、ＤＶＤ、ブルーレイディスク、書籍、フィギュアなどのコレクタ品である。ここでは、それぞれの包装は、前記包装が良好な状態である場合に、特に人気のコレクタ品となる。保護カバーの寸法、したがってブランクのそれぞれの領域の寸法は、好ましくは、一般的なコレクタ品の寸法により、特にビデオゲーム、ＣＤ、ＤＶＤ、ブルーレイディスクなどの一般的な包装により予め決められる。
【００２３】
好ましくは、直方体の保護カバーの寸法は、長さ２０〜３００ｍｍ、幅２０〜３００ｍｍ、高さ５〜３００ｍｍである。例えば、長さ約１３５ｍｍ、幅約１９０ｍｍ、高さ約１５ｍｍの寸法が、直方体の一般的なＤＶＤ包装を収容する保護カバーについて生じる。
【００２４】
好ましくは、連結要素は、磁気要素と場合により対向要素とを含む。好ましくは、少なくとも１つの連結要素は、折り畳み可能な設計であり、好ましくはＬ字形、Ｕ字形、フレーム形状に、または複数の前記形状の組合せとして折り畳まれた保護カバー内に配置される。
【００２５】
そのような折り畳み可能な磁気要素または対向要素は、平面材料から打ち抜きまたは切断によって得られ、ブランクの場合と同様に、折り畳み線を作成することができる。
【００２６】
Ｌ字形は、例えば、矩形の折り畳み可能な連結要素を、縁部の１つに平行に延びる折り畳み線に沿って約９０°折り畳むことによって作られる。Ｕ字形は、例えば、矩形の折り畳み可能な連結要素を、互いに平行に延び、かつ連結要素の縁部の１つに平行に延びる２本の折り畳み線に沿って折り畳むことによって作られる。２つの折り畳みは、ここでは、Ｕ字形が生じるように設計される。フレーム形状は、例えば、矩形の折り畳み可能な連結要素を折り畳むことによって生じ、磁気要素が好ましい。ここでは、連結要素は、矩形の縁部のうちの１つにそれぞれ平行な４本の折り畳み線を有する。これにより、折り畳み線によって互いにそれぞれ分離された５つの領域が生じる。ここでは、前記領域のうちの少なくとも４つが同一のサイズであり、第５の領域がより小さい設計であってよい。約９０°の折り畳みが各折り畳み線で形成され、折り畳み後、第５の領域が第１の領域に部分的に重なって、閉じたフレームが生じるようになっている。磁気要素がフレーム形状に配置される場合、フレームは、第１の領域と第５の領域との間の磁力によって形状が維持される。
【００２７】
折り畳み可能な連結要素と折り畳み不能な連結要素とを、保護カバー内で組み合わせて使用してもよい。好ましくは、すべての連結要素が折り畳み可能な設計である。
【００２８】
好ましくは、磁気要素は、永久磁石の形態で設計される。例えば、鉄、コバルト、ニッケル、または希土類磁石の合金などの硬質磁気材料から構成された永久磁石が、様々な形状で得られる。特に好ましくは、磁気要素は、永久磁石フィルムまたはバンドの形態で設計される。例えば、棒状またはディスク状の永久磁石とは対照的に、これらのフィルムおよび／またはバンドは可撓性で折り畳み可能である。
【００２９】
磁気要素は、保護カバー内の１つまたはそれ以上のさらなる連結要素と相互作用する。さらなる連結要素は、ここでは同様に永久磁石の形態で設計することができ、磁石の極は、閉じたまたは折り畳んだ保護カバー内で互いに引き付けるような向きになっている。さらに、さらなる連結要素を対向要素として設計することができ、または、磁気要素は、さらなる磁気要素と対向要素との組合せと相互作用することができる。
【００３０】
対向要素は永久磁石として設計されず、対向要素は磁石により引き付けられる。好ましくは、対向要素は、金属シートの形または金属箔の形態で設計され、それぞれの磁気要素により引き付けられる。
【００３１】
本発明の一実施形態において、連結要素はブランクに固定して連結されない。したがって、保護カバーを閉じるために、ブランクの表面の各側のそれぞれの連結要素は、ブランクの縁部の領域で相互作用する。連結要素、好ましくは磁気要素の一部は、ここでは保護予定の物品上に直接配置されるか、または保護予定の物品に当てられる。さらなる連結要素は、ブランク上に外側から配置され、またはブランクが直方体形状に折り畳まれた後にブランクに当てられる。この場合、２つの連結要素は、ブランクの両側で相互作用する。
【００３２】
本発明のさらなる実施形態において、連結要素は、例えば、接着接合、溶接、縫合、または積層によってブランクに固定して連結される。ここでは、連結要素をブランクの２つの表面のうちの一方に配置することができ、または連結要素をブランクの２つのプラスチック層の間に接着接合または積層することができる。好ましくは、ここでは、連結要素は、折り畳んだ状態で直方体の縁部として互いに当接するブランクの外縁に配置される。ここでは、連結要素の一部はブランクの外縁と面一に終端することができ、他の連結要素はブランクの外縁を越えて突出することができる。折り畳んだ状態で、好ましくは、面一に終端する連結要素は、ここでは、いずれの場合にも外縁を越えて突出する連結要素と相互作用する。
【００３３】
連結要素の少なくとも一部は折り畳み可能に設計され、かつ／またはブランクは、それぞれの領域に隣接し、連結要素が配置されるタブを有する。連結要素および／またはタブの折り畳みにより、２つの連結要素は、いずれの場合にも、ブランクを折り畳んで直方体形状を形成するときに互いに重ねられ、前記連結要素は磁力により結合されることによって、ブランクを直方体形状に固定する。
【００３４】
連結要素が折り畳み可能に、かつブランクの表面上に突出するように設計される場合、連結要素をタブと同様に折り畳むことができる。この場合、好ましくは、ブランクはタブを有していない。ブランクがそれぞれの領域に隣接するタブを有する場合、連結要素のすべてをブランク上に配置して、連結要素のいずれもブランクの表面を越えて突出しないようにすることができる。
【００３５】
ブランク上での連結要素の固定配置は、保護カバー全体が１つの粘着片のみから構成されるという利点を有する。連結要素は、ここでは互いに対して、かつブランクに対して既に正しく配置されており、これにより保護カバーを閉じることがかなり簡単になる。
【００３６】
好ましくは、保護カバーを金属板または磁気ボードに締結することのできる磁気要素が、保護カバー内で外側を向いたブランクの表面上に配置される。例えば、この目的で、永久磁石がベースまたは後壁上に配置される。前記永久磁石は折り畳み可能に設計する必要はなく、したがって、特に強力な希土類磁石を使用することもできる。磁気要素により、保護カバーと保護カバーに収容された物品とを磁気ボードなどに締結して、物品を魅力的に見せることができる。
【００３７】
保護カバーに収容された物品を特に強調して見せることができるようにするために、保護カバーは照明手段をさらに含むことができる。照明手段は、例えば、ＬＥＤストリップ、ＬＥＤバンド、平面ＯＬＥＤ、またはエレクトロルミネセンスフィルムとして設計することができる。保護カバーは、エネルギーを供給するためのバッテリまたはアキュームレータをさらに含むことができる。加えて、アキュームレータを充電するために、太陽電池を保護カバー内に配置することができる。
【００３８】
保護カバーは、好ましくは、１つまたはそれ以上のラベリング要素を含むことができる。ラベリング要素を、例えば、ラベリングまたは印刷可能なブランク上の領域として設計することができ、ラベリング要素により、例えば保護カバーに収容される物品に関する追加の情報の貼付が可能になる。
【００３９】
本発明のさらなる態様は、プラスチック材料から構成されたブランクと、ブランクに締結された連結要素とを含む折り畳みシートであって、ブランクは、前述した保護カバーのうちの１つを形成するように折り畳み可能である折り畳みシートを提供することである。したがって、保護カバーの範囲内で説明した構成は、折り畳みシートについて開示されているとも考えられる。
【００４０】
本発明の例示的な実施形態を図示し、以下の説明においてより詳細に説明する。
【図面の簡単な説明】
【００４１】
【図１】連結要素を有するブランクを示す図である。
【図２ａ】連結要素を有するブランクを折り畳んで保護カバーを形成する様子を示す図である。
【図２ｂ】連結要素を有するブランクを折り畳んで保護カバーを形成する様子を示す図である。
【図３】連結要素を有するブランクのさらなる変形例を示す図である
【図４】連結要素のないブランクを示す図である。
【図５ａ】折り畳み可能な連結要素を示す図である。
【図５ｂ】折り畳み可能な連結要素を示す図である。
【図５ｃ】折り畳み可能な連結要素を示す図である。
【図６】保護カバーのさらなる実施形態の分解図である。
【図７】照明手段を有する保護カバーを側面から示す断面図である。
【発明を実施するための形態】
【００４２】
本発明の例示的な実施形態の以下の説明において、同一または同様の構成要素および要素は、同一または同様の参照符号で示され、前記構成要素または要素の繰り返しの説明は個々の場合において省略する。図面は、本発明の主題の概略のみを示す。
【００４３】
図１は、保護カバー１０の第１の実施形態についてのブランク１２の第１の変形例を示す。ブランク１２は一体形成され、プラスチック材料からトリミングまたは打ち抜きによって作られる。ブランク１２は、複数の領域（１６’、１８’、２０’、２２’、２４’）、すなわち、ベース領域２４’と、それに隣接する後壁領域１８’、２つの側壁領域２０’、および前壁領域１６’とを含む。蓋領域２２’は前壁領域１６’に隣接する。
【００４４】
本実施形態において、すべて磁気フィルムとして設計される複数の連結要素１４が、ブランク１２に配置される。磁気フィルムは、接着接合によりブランク１２に連結される。蓋領域２２’に配置される連結要素を除いて、すべての連結要素１４はブランク１２の下側に接着接合され、前記連結要素はそれぞれ部分的にブランク１２を越えて突出する。蓋領域２２’の２つの連結要素１４はブランク１２の上側に接着接合され、ブランク１２を越えて突出しない。
【００４５】
ブランク１２および連結要素１４は、折り畳んで保護カバーを形成することのできる折り畳みシート１１を形成する。ここでは、折り畳みシート１１は折り畳み線３８に沿って折り畳まれる。これについて、図２ａおよび図２ｂを参照して以下で説明する。折り畳み線３８は、図中、一点鎖線で示されている。図１は、折り畳みシート１１の上面図であり、連結要素１４の見えている表面が斜線で示され、ブランク１２によって隠される表面が破線で示されている。図１から、折り畳みシート１１の図示した実施形態において、ブランクの２つの縁部が合う点を持つ直方体を形成するように折り畳む間、連結要素１４の突出部分はいずれの場合にも別の連結要素１４の非突出部分と相互作用し、それぞれの突出部分をタブの形で折り重ねて、縁部を直方体形状に固定することができることが容易に明らかになる。
【００４６】
図２ａおよび図２ｂは、図１の折り畳みシート１１の斜視図である。折り畳みシート１１を折り畳んで直方体の保護カバーを形成するために、保護予定の物品３２をベース領域２４’上に置く。物品３２は、図２ａおよび図２ｂにおいて、破線で示す直方体として示される。
【００４７】
次いで、後壁領域１８’を９０°折り畳んで、後壁領域１８’が保護予定の物品３２に接触して位置するようにする。連結要素１４の一部が同様に、物品３２の方向に既に９０°折り畳まれている。
【００４８】
図２ｂに示すように、後壁領域１８’の折り畳み後、側壁領域２０’を物品３２の方向に折り畳んで、側壁領域２０’が同様に物品３２に接触して位置するようにする。保護カバー１０の側壁２０を形成する側壁領域２０’は、後壁領域１８’に配置された連結要素１４を９０°折り畳むことによって固定され、その後、関連する連結領域１４が折り畳みによって互いに重なる。
【００４９】
さらなる工程（さらに図示せず）において、最初に前壁領域１６’、次に蓋領域２２’を、いずれの場合も物品３２の方向に９０°折り畳む。それぞれの連結要素１４をいずれの場合も物品３２の方向に９０°対応して折り畳むことにより、前壁領域１６’と蓋領域２２’とは、このように作られた直方体の保護カバー１０内に固定される。保護予定の物品３２は、ブランク１２により完全に包まれる。
【００５０】
図３は、連結要素１４と共に折り畳みシート１１を形成するブランク１２のさらなる変形例を示す。図１に示す変形例とは対照的に、２つの側壁領域２０’は前壁領域１６’に隣接する。加えて、後壁領域１８’に横方向に隣接する連結要素１４は、全長にわたって延びておらず、したがって前記連結要素は、折り畳み動作中にベース領域２４’の隣接する連結要素１４に重ならない。
【００５１】
図３の折り畳みシート１１から保護カバーを折り畳むためには、手順は図２ａおよび図２ｂに関して説明したものと同様であり、最初に前壁領域を折り畳みにより物品３２に当て、その後、２つの側壁領域を物品３２に向けて９０°折り畳み、次に、ベース領域２４’に配置された２つの連結要素１４を折り畳むことによって側壁領域を固定する。次いで、後壁領域１８’を折り畳み、最後に蓋領域２２’を折り畳む。
【００５２】
図４は、連結要素が連結されていないブランク１２を示す。ブランク１２は、前壁領域１６’と、それに隣接する２つの側壁領域２０’、ベース領域２４’、および蓋領域２２’とを有する。後壁領域１８’は、ベース領域２４’に隣接する。
【００５３】
図５ａ、図５ｂ、および図５ｃは、ブランク１２に連結されていない折り畳み可能な連結要素１４を示す。
【００５４】
図５ａは、フレームを形成するように折り畳み可能なブランク２６を示す。フレームを形成するように折り畳み可能なブランク２６は、前記ブランクを５つの領域に分割する４本の折り畳み線３８を有し、５つの領域のうちの４つは同一のサイズである。
【００５５】
図５ｂは、Ｌ字形に折り畳み可能なブランク２８を示す。前記ブランクを折り畳み線３８に沿って９０°折り畳んで、Ｌ字形が生じるようにする。
【００５６】
図５ｃは、Ｕ字形に折り畳み可能であり、２本の互いに平行な折り畳み線３８を有するブランク３０を示す。前記折り畳み線３８は各々、Ｕ字形の領域を画成し、前記領域を互いに９０°折り畳むとＵ字形が生じる。
【００５７】
図６は、固定して連結された連結要素１４のないブランク１２から折り畳んだ保護カバー１０の第２の実施形態を閉じる様子を示す。
【００５８】
最初に、フレームを形成するように折り畳み可能であり、磁気要素として設計された連結要素２６を、保護予定の物品３２の側面周囲に配置し、プロセス中に、折り畳んで、物品３２の側面を略覆うフレームを形成する。物品３２をフレームと共にブランク１２の前壁領域１６’に置き、蓋領域２２’、側壁領域２０’、およびベース領域を、折り畳みによって物品３２に当てる。次いで、後壁領域１８’も折り畳みによって物品３２に当てることができる。磁気要素として設計されたそれぞれのＬ字形連結要素２８を、ブランクから作られた直方体の縁部に配置する。この縁部で側壁領域２０’は後壁領域１８’に当接する。前記連結要素は、フレーム形状の連結要素２６と相互作用し、直方体形状のこれらの点でブランク１２を固定する。最後に、磁気要素と同様に設計されたＵ字形の連結要素３０を配置する。Ｕ字の２つの脚部は、蓋領域２２’とベース領域とを略覆い、ここでも同様にフレーム形状の連結要素２６と相互作用する。その後、保護カバー１０を閉じ、連結要素１４の磁力によって直方体形状に固定する。加えて、ブランク１２の２つの表面が互いに当接する直方体の領域における隙間を、防塵のため連結要素１４によって閉じる。
【００５９】
図７は、照明手段３６を有する保護カバー１０を側面から示す断面図である。照明手段３６は、ここではＬＥＤストリップとして設計され、保護カバー１０の内部、したがって、保護カバー１０の内部に収容された物品３２を照明する。本変形例において、保護カバー１０の寸法は、好ましくは、保護予定の物品よりも大きくなるように選択される。物品３２を審美的に魅力的に見せることができるようにするために、図７に示す変形例では、保護カバー１０が台座３４をさらに含み、台座３４の上に物品３２を収容する。台座３４は、例えば、ブランクと同じプラスチック材料から作られ、特に磁気要素によりベース２４に連結することができる。
【００６０】
保護カバー１０を磁気ボードに締結できるようにするために、図示した実施形態において、後壁１８は磁気要素として設計された連結要素１４を有する。前記連結要素１４は、保護カバー１０の外側に配置される。
【００６１】
本発明は、本明細書で説明した例示的な実施形態および実施形態で強調された態様に限定されるものではない。それどころか、当業者の技能範囲に含まれる多くの修正が、特許請求の範囲により示される範囲内で可能である。
【図１】
2019511979.tif 000003
【図２ａ】
2019511979.tif 000004
【図２ｂ】
2019511979.tif 000005
【図３】
2019511979.tif 000006
【図４】
2019511979.tif 000007
【図５ａ】
2019511979.tif 000008
【図５ｂ】
2019511979.tif 000009
【図５ｃ】
2019511979.tif 000010
【図６】
2019511979.tif 000011
【図７】
2019511979.tif 000012
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
ベース（２４）と、２つの側壁（２０）と、前壁（１６）と、後壁（１８）と、蓋（２２）とを有する保護カバー（１０）であって、
一体形成され、プラスチック材料から構成されたブランク（１２）を含み、
該ブランク（１２）は、ベース領域（２４’）と、後壁領域（１８’）と、前壁領域（１６’）と、２つの側壁領域（２０’）と、蓋領域（２４’）とを有し、ブランク（１２）は直方体形状に折り畳まれ、
保護カバー（１０）は、磁気要素と場合により対向要素とを含む連結要素（１４）を有し、該連結要素（１４）は、折り畳んだ直方体形状で互いに当接するブランク（１２）の縁部が、互いに磁力を及ぼす連結要素（１４）によって結合されるように設計され配置されること、および
連結要素（１４）はブランク（１２）に連結され、連結要素（１４）の第１の部分はブランク（１２）の外縁と面一に終端し、連結要素（１４）の第２の部分はブランク（１２）の外縁を越えて突出し、
面一に終端する連結要素（１４）は、いずれの場合にも外縁を越えて突出する連結要素（１４）と相互作用すること
を特徴とする、前記保護カバー（１０）。
【請求項２】
少なくとも１つの連結要素（１４）は折り畳み可能に設計されることを特徴とする、請求項１に記載の保護カバー（１０）。
【請求項３】
プラスチック材料は、ポリエチレンテレフタレート（ＰＥＴ）のようなポリエステル、ポリ塩化ビニル（ＰＶＣ）、ポリプロピレン（ＰＰ）、ポリエチレン（ＰＥ）、ポリカーボネート（ＰＣ）、スチレンコポリマー、または様々なポリマーの混合物から選択されることを特徴とする、請求項１または２に記載の保護カバー（１０）。
【請求項４】
ブランク（１２）は少なくとも一部の領域において透明であることを特徴とする、請求項１〜３のいずれか１項に記載の保護カバー（１０）。
【請求項５】
磁気要素は、保護カバーを磁気壁に締結できるように後壁（１８）に配置されることを
特徴とする、請求項１〜４のいずれか１項に記載の保護カバー（１０）。
【請求項６】
磁気要素は、永久磁石として、特に永久磁石フィルムおよび／または永久磁石バンドとして設計されることを特徴とする、請求項１〜５のいずれか１項に記載の保護カバー（１０）。
【請求項７】
対向要素は永久磁石として設計されず、特に金属シートまたは金属箔の形態で設計され、それぞれの磁気要素により引き付けられることを特徴とする、請求項１〜６のいずれか１項に記載の保護カバー（１０）。
【請求項８】
ブランク（１２）の場合、後壁領域（１８’）および前壁領域（１６’）はベース領域（２４’）に隣接し、蓋領域（２２’）は前壁領域（１６’）または後壁領域（１８’）に隣接し、
２つの側壁領域（２２’）は、ベース領域（２４’）、前壁領域（１６’）、または後壁領域（１８’）に隣接することを特徴とする、請求項１〜７のいずれか１項に記載の保護カバー（１０）。
【請求項９】
連結要素（１４）は、接着接合、溶接、縫合、または積層によってブランク（１２）に固定して連結されることを特徴とする、請求項１〜８のいずれか１項に記載の保護カバー（１０）。
【請求項１０】
保護カバー（１０）に収容された物品（３２）を照明するための照明手段（３６）をさらに含む、請求項１〜９のいずれか１項に記載の保護カバー（１０）。
【請求項１１】
プラスチック材料から構成されたブランク（１２）と、該ブランク（１２）に締結された連結要素（１４）とを含む折り畳みシート（１１）であって、
該折り畳みシート（１１）は、請求項９に記載の保護カバー（１０）を形成するように折り畳み可能に構成され、折り畳みシート（１１）は磁力によって折り畳んだ形状に結合されることを特徴とする、前記折り畳みシート。
【請求項１２】
請求項１〜１０のいずれか１項に記載の保護カバー（１０）を製造する方法であって、
保護予定の物品（３２）がブランク（１２）上に置かれ、次に、保護予定の物品（３２）周囲の連結要素（１４）を使用して保護カバー（１０）が折り畳まれることにより、直方体の保護カバー（１０）を形成し、
連結要素（１４）は、折り畳んだ直方体形状で互いに当接するブランク（１２）の縁部が、互いに磁力を及ぼす連結要素（１４）によって結合されるように配置されることを特徴とする、前記方法。
【国際調査報告】
2019511979.tif 000013
2019511979.tif 000014
2019511979.tif 000015
2019511979.tif 000016